【手続補正書】
【提出日】平成22年10月14日(2010.10.14)
【手続補正１】
【補正対象書類名】明細書
【補正対象項目名】０００９
【補正方法】削除
【補正の内容】
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
上記課題を解決するため、請求項１記載の発明は、第１端末において作成された電子メールを第２端末において再生するシステムであって、前記第１端末は、入力されたテキストメッセージを表現する３Ｄフォントに関する制御情報を生成する手段と、テキストメッセージと、生成した制御情報とを前記第２端末に送信する手段と、を備え、前記第２端末は、前記第１端末から受信したテキストメッセージと制御情報とに基づいて３Ｄ文字メールを再生するために必要な３Ｄフォントを特定するとともに、特定された３Ｄフォントをサーバからダウンロードし、前記第１端末から受信したテキストメッセージと制御情報と前記サーバからダウンロードした３Ｄフォントとに基づいて３Ｄ文字メールを再生する手段、を備え、前記制御情報は、前記３Ｄ文字メールにおける、３Ｄフォントの移動に関する表示態様を規定する情報を含むことを特徴とする。
【手続補正５】
【補正対象書類名】明細書
【補正対象項目名】００１３
【補正方法】変更
【補正の内容】
【００１３】
請求項２記載の発明は、第１端末において作成された電子メールを第２端末において再生するシステムであって、前記第１端末は、３Ｄフォントを蓄積する手段と、入力されたテキストメッセージを表現する３Ｄフォントに関する制御情報を生成する手段と、テキストメッセージと、生成した制御情報と、テキストメッセージを表現するために使用する３Ｄフォントとを前記第２端末に送信する手段と、を備え、前記第２端末は、前記第１端末から受信したテキストメッセージと、制御情報と、３Ｄフォントに基づいて３Ｄ文字メールを再生する手段、を備え、前記制御情報は、前記３Ｄ文字メールにおける、３Ｄフォントの移動に関する表示態様を規定する情報を含むことを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
請求項３記載の発明は、第１端末において作成された電子メールを第２端末において再生するシステムであって、前記第１端末は、入力されたテキストメッセージを表現する３Ｄフォントに関する制御情報を生成する手段と、前記テキストメッセージおよび生成した制御情報を前記第２端末に送信する手段と、を備え、前記第２端末は、３Ｄフォントを蓄積する手段と、前記第１端末から受信したテキストメッセージおよび制御情報と、前記第２端末が蓄積している３Ｄフォントとに基づいて３Ｄ文字メールを再生する手段、を備え、前記制御情報は、前記３Ｄ文字メールにおける、３Ｄフォントの移動に関する表示態様を規定する情報を含むことを特徴とする。
請求項４記載の発明は、請求項１ないし請求項３のいずれかに記載の３Ｄ文字メールシステムにおいて、前記制御情報は、前記３Ｄ文字メールにおける、３Ｄフォントの出現に関する表示態様を規定する情報を含むことを特徴とする。
請求項５記載の発明は、請求項１ないし請求項４のいずれかに記載の３Ｄ文字メールシステムにおいて、前記制御情報は、前記３Ｄ文字メール全体の表示態様を規定するテンプレートシナリオデータを含み、前記第２端末は、前記テンプレートシナリオデータに基づいて前記３Ｄ文字メールの再生を行うことを特徴とする。
【手続補正８】
【補正対象書類名】明細書
【補正対象項目名】００１６
【補正方法】変更
【補正の内容】
【００１６】
請求項６記載の発明は、請求項２に記載の３Ｄ文字メールシステムにおいて、前記第１端末は、さらに、入力されたテキストメッセージと、生成した制御情報と、３Ｄフォントに基づいて３Ｄ文字メールを再生することにより、３Ｄ文字メールの再生状態を事前確認する手段、を備えることを特徴とする。
請求項７記載の発明は、請求項１または請求項３に記載の３Ｄ文字メールシステムにおいて、前記第１端末は、さらに、３Ｄフォントを蓄積する手段と、入力されたテキストメッセージと、生成された制御情報と、前記第１端末が蓄積している３Ｄフォントに基づいて３Ｄ文字メールを再生することにより、３Ｄ文字メールの再生状態を事前確認する手段、を備えることを特徴とする。
【手続補正９】
【補正対象書類名】明細書
【補正対象項目名】００１７
【補正方法】変更
【補正の内容】
【００１７】
請求項８記載の発明は、請求項２または請求項７に記載の３Ｄ文字メールシステムにおいて、前記第１端末は、端末本体に着脱可能な記憶媒体を備え、３Ｄ文字メールに使用する３Ｄフォントは、前記記憶媒体に蓄積されて供給されることを特徴とする。
【手続補正１０】
【補正対象書類名】明細書
【補正対象項目名】００１８
【補正方法】変更
【補正の内容】
【００１８】
請求項９記載の発明は、請求項３に記載の３Ｄ文字メールシステムにおいて、前記第２端末は、端末本体に着脱可能な記憶媒体を備え、３Ｄ文字メールに使用する３Ｄフォントは、前記記憶媒体に蓄積されて供給されることを特徴とする。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
請求項１０記載の発明は、請求項１ないし請求項９のいずれかに記載の３Ｄ文字メールシステムにおいて、前記制御情報は、使用する３Ｄフォントのフォントタイプを指定した情報、を含むことを特徴とする。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
請求項１１記載の発明は、請求項１ないし請求項１０のいずれかに記載の３Ｄ文字メールシステムにおいて、前記第２端末に対して送信される３Ｄフォントは暗号化されていることを特徴とする。
【手続補正１５】
【補正対象書類名】明細書
【補正対象項目名】００２３
【補正方法】変更
【補正の内容】
【００２３】
請求項１２記載の発明は、請求項１ないし請求項１１のいずれかに記載の３Ｄ文字メールシステムにおいて、前記第２端末に対して送信される制御情報は暗号化されていることを特徴とする。
【手続補正１６】
【補正対象書類名】明細書
【補正対象項目名】００２４
【補正方法】変更
【補正の内容】
【００２４】
請求項１３記載の発明は、請求項１ないし請求項１２のいずれかに記載の３Ｄ文字メールシステムにおいて、前記テキストメッセージには、絵文字が含まれることを特徴とする。
【手続補正１７】
【補正対象書類名】明細書
【補正対象項目名】００２６
【補正方法】変更
【補正の内容】
【００２６】
また、請求項１に記載の発明では、サーバを利用することにより、受信側端末が３Ｄフォントを保有する必要がない。
【手続補正１８】
【補正対象書類名】明細書
【補正対象項目名】００２７
【補正方法】変更
【補正の内容】
【００２７】
また、請求項２または３に記載の発明では、サーバが不要な構成であり、３Ｄ文字メールの送信手順を簡略化させることが可能である。
【手続補正１９】
【補正対象書類名】特許請求の範囲
【補正対象項目名】全文
【補正方法】変更
【補正の内容】
【特許請求の範囲】
【請求項１】
第１端末において作成された電子メールを第２端末において再生するシステムであって、
前記第１端末は、
入力されたテキストメッセージを表現する３Ｄフォントに関する制御情報を生成する手段と、
テキストメッセージと、生成した制御情報とを前記第２端末に送信する手段と、
を備え、
前記第２端末は、
前記第１端末から受信したテキストメッセージと制御情報とに基づいて３Ｄ文字メールを再生するために必要な３Ｄフォントを特定するとともに、特定された３Ｄフォントをサーバからダウンロードし、前記第１端末から受信したテキストメッセージと制御情報と前記サーバからダウンロードした３Ｄフォントとに基づいて３Ｄ文字メールを再生する手段、
を備え、
前記制御情報は、前記３Ｄ文字メールにおける、３Ｄフォントの移動に関する表示態様を規定する情報を含む３Ｄ文字メールシステム。
【請求項２】
第１端末において作成された電子メールを第２端末において再生するシステムであって、
前記第１端末は、
３Ｄフォントを蓄積する手段と、
入力されたテキストメッセージを表現する３Ｄフォントに関する制御情報を生成する手段と、
テキストメッセージと、生成した制御情報と、テキストメッセージを表現するために使用する３Ｄフォントとを前記第２端末に送信する手段と、
を備え、
前記第２端末は、
前記第１端末から受信したテキストメッセージと、制御情報と、３Ｄフォントに基づいて３Ｄ文字メールを再生する手段、
を備え、
前記制御情報は、前記３Ｄ文字メールにおける、３Ｄフォントの移動に関する表示態様を規定する情報を含む３Ｄ文字メールシステム。
【請求項３】
第１端末において作成された電子メールを第２端末において再生するシステムであって、
前記第１端末は、
入力されたテキストメッセージを表現する３Ｄフォントに関する制御情報を生成する手段と、
前記テキストメッセージおよび生成した制御情報を前記第２端末に送信する手段と、
を備え、
前記第２端末は、
３Ｄフォントを蓄積する手段と、
前記第１端末から受信したテキストメッセージおよび制御情報と、前記第２端末が蓄積している３Ｄフォントとに基づいて３Ｄ文字メールを再生する手段、
を備え、
前記制御情報は、前記３Ｄ文字メールにおける、３Ｄフォントの移動に関する表示態様を規定する情報を含む３Ｄ文字メールシステム。
【請求項４】
請求項１ないし請求項３のいずれかに記載の３Ｄ文字メールシステムにおいて、
前記制御情報は、前記３Ｄ文字メールにおける、３Ｄフォントの出現に関する表示態様を規定する情報を含む３Ｄ文字メールシステム。
【請求項５】
請求項１ないし請求項４のいずれかに記載の３Ｄ文字メールシステムにおいて、
前記制御情報は、前記３Ｄ文字メール全体の表示態様を規定するテンプレートシナリオデータを含み、
前記第２端末は、前記テンプレートシナリオデータに基づいて前記３Ｄ文字メールの再生を行う３Ｄ文字メールシステム。
【請求項６】
請求項２に記載の３Ｄ文字メールシステムにおいて、
前記第１端末は、さらに、
入力されたテキストメッセージと、生成した制御情報と、３Ｄフォントに基づいて３Ｄ文字メールを再生することにより、３Ｄ文字メールの再生状態を事前確認する手段、
を備えることを特徴とする３Ｄ文字メールシステム。
【請求項７】
請求項１または請求項３に記載の３Ｄ文字メールシステムにおいて、
前記第１端末は、さらに、
３Ｄフォントを蓄積する手段と、
入力されたテキストメッセージと、生成された制御情報と、前記第１端末が蓄積している３Ｄフォントに基づいて３Ｄ文字メールを再生することにより、３Ｄ文字メールの再生状態を事前確認する手段、
を備えることを特徴とする３Ｄ文字メールシステム。
【請求項８】
請求項２または請求項７のいずれかに記載の３Ｄ文字メールシステムにおいて、
前記第１端末は、端末本体に着脱可能な記憶媒体を備え、３Ｄ文字メールに使用する３Ｄフォントは、前記記憶媒体に蓄積されて供給されることを特徴とする３Ｄ文字メールシステム。
【請求項９】
請求項３に記載の３Ｄ文字メールシステムにおいて、
前記第２端末は、端末本体に着脱可能な記憶媒体を備え、３Ｄ文字メールに使用する３Ｄフォントは、前記記憶媒体に蓄積されて供給されることを特徴とする３Ｄ文字メールシステム。
【請求項１０】
請求項１ないし請求項９のいずれかに記載の３Ｄ文字メールシステムにおいて、
前記制御情報は、
使用する３Ｄフォントのフォントタイプを指定した情報、
を含むことを特徴とする３Ｄ文字メールシステム。
【請求項１１】
請求項１ないし請求項１０のいずれかに記載の３Ｄ文字メールシステムにおいて、
前記第２端末に対して送信される３Ｄフォントは暗号化されていることを特徴とする３Ｄ文字メールシステム。
【請求項１２】
請求項１ないし請求項１１のいずれかに記載の３Ｄ文字メールシステムにおいて、
前記第２端末に対して送信される制御情報は暗号化されていることを特徴とする３Ｄ文字メールシステム。
【請求項１３】
請求項１ないし請求項１２のいずれかに記載の３Ｄ文字メールシステムにおいて、
前記テキストメッセージには、絵文字が含まれることを特徴とする３Ｄ文字メールシステム。